(57)【要約】【課題】アンバランス調整時にダミーの遠心容器を短時間で簡便に準備することができる操作性の高い遠心分離機を提供すること。【解決手段】試料が収容された複数の遠心容器８を収容可能なロータ５と、該ロータ５を収容するロータ室３と、該ロータ室３内で前記ロータ５を回転駆動する駆動部と、前記ロータ室３の開口部を開閉するドア６を備えた遠心分離機１において、前記ドア６を開けたときに見える前記ロータ室３の開口部近傍にダミーの遠心容器９，１０を収納可能な容器収納部１１，１２を設ける。【選択図】図１
2008212903.tif 000002
【特許請求の範囲】
【請求項１】
試料が収容された複数の遠心容器を収容可能なロータと、該ロータを収容するロータ室と、該ロータ室内で前記ロータを回転駆動する駆動部と、前記ロータ室の開口部を開閉するドアを備えた遠心分離機において、
前記ドアを開けたときに見える前記ロータ室の開口部近傍に前記遠心容器を収納可能な容器収納部を設けたことを特徴とする遠心分離機。
【請求項２】
前記容器収納部を複数箇所に設けたことを特徴とする請求項１記載の遠心分離機。
【請求項３】
前記複数の容器収納部を大きさの異なるものとしたことを特徴とする請求項２記載の遠心分離機。
【請求項４】
前記複数の容器収納部を、本体上面に形成された同径の複数の孔部と、該孔部に着脱可能に挿通保持される複数のケースとで構成し、前記各ケースに異なる径の収容穴をそれぞれ形成したことを特徴とする請求項２又は３記載の遠心分離機。
【請求項５】
前記容器収納部の近傍に、メモ書き可能なスペースを設けたことを特徴とする請求項１〜４の何れかに記載の遠心分離機。
【発明の詳細な説明】
【技術分野】
【０００１】
本発明は、試料が収容された複数の遠心容器を収容したロータを回転駆動することによって試料を遠心分離するための遠心分離機に関するものである。
【背景技術】
【０００２】
この種の遠心分離機は、遺伝子工学分野や病院等で細胞培養液や血液等の分離に供されるが、その操作においては分離すべき試料をチューブ等の遠心容器に予め入れておき、この遠心容器をロータにセットする場合が殆どである。
【０００３】
ところで、遠心容器がセットされたロータを回転させる場合には、該ロータの回転軸に対する重量バランスを合わせることが重要であり、重量バランスを合わせないでロータを回転させると該ロータに異常振動が発生して所期の目的を達成することができない。
【０００４】
そこで、ロータにセットされた遠心容器は２本を対としてバランスを取り、複数の遠心容器を回転中心に対して対称に配置した状態でロータを回転させることが行われている。遠心容器が１本又は奇数本の場合には、対とならない遠心容器と重量的にバランスするダミーの遠心容器を準備し、必ず偶数本の遠心容器を回転中心に対して対称に配置して重量バランスを取った状態でロータを回転させるようにしている。このような操作が頻繁に必要な場合には、ダミーの遠心容器を予め準備している場合が多い。特殊な遠心分離機では、アンバランス状態でも自動でバランスを調整してロータをそのまま回転させることもできるが、装置が高価となるため、ダミーの遠心容器によって重量バランスを取る方法が一般的に多く採用されている。
【０００５】
特許文献１には、ダミーの遠心容器を常に遠心分離機の周辺に用意して作業効率の向上を図る目的で、磁石付きダミー遠心管収納体を遠心分離機本体の上面、側面又は前面に磁力によって取り付ける提案がなされている。
【特許文献１】特開平８−１２６８５２号公報
【発明の開示】
【発明が解決しようとする課題】
【０００６】
しかしながら、従来、ロータのバランスを取るためのダミーの遠心容器は本来の遠心容器（分離すべき試料が入った遠心容器）とは別に準備するため、必ずしも遠心分離機の近くにあるとは限らず、その都度準備したり、探したりするために多くの時間を要し、作業効率が悪く面倒であった。
【０００７】
又、特許文献１において提案されているようにダミー遠心管収納体を遠心分離機本体の上面、側面又は前面に取り付ける構成を採用すると、ダミー遠心管収納体が本体から飛び出すために操作性が害されるという問題が発生する。
【０００８】
本発明は上記問題に鑑みてなされたもので、その目的とする処は、アンバランス調整時にダミーの遠心容器を短時間で簡便に準備することができる操作性の高い遠心分離機を提供することにある。
【課題を解決するための手段】
【０００９】
上記目的を達成するため、請求項１記載の発明は、試料が収容された複数の遠心容器を収容可能なロータと、該ロータを収容するロータ室と、該ロータ室内で前記ロータを回転駆動する駆動部と、前記ロータ室の開口部を開閉するドアを備えた遠心分離機において、前記ドアを開けたときに見える前記ロータ室の開口部近傍に前記遠心容器を収納可能な容器収納部を設けたことを特徴とする。
【００１０】
請求項２記載の発明は、請求項１記載の発明において、前記容器収納部を複数箇所に設けたことを特徴とする請求項１記載の遠心分離機。
【００１１】
請求項３記載の発明は、請求項２記載の発明において、前記複数の容器収納部を大きさの異なるものとしたことを特徴とする。
【００１２】
請求項４記載の発明は、請求項２又は３記載の発明において、前記複数の容器収納部を、本体上面に形成された同径の複数の孔部と、該孔部に着脱可能に挿通保持される複数のケースとで構成し、前記各ケースに異なる径の収容穴をそれぞれ形成したことを特徴とする。
【００１３】
請求項５記載の発明は、請求項１〜４の何れかに記載の発明において、前記容器収納部の近傍に、メモ書き可能なスペースを設けたことを特徴とする。
【発明の効果】
【００１４】
請求項１記載の発明によれば、ドアを開けたときに見えるロータ室の開口部近傍に遠心容器を収納可能な容器収納部を設けたため、ダミーの遠心容器が常に遠心分離機自体に内蔵されていることとなり、アンバランス調整時にドアを開けてダミーの遠心容器を容器収容部から取り出して短時間で簡便に準備することができる。又、容器収納部及びこれに収容されたダミーの遠心容器が遠心分離機本体の外部に突出することがないため、これらによって操作性が害されることがなく、遠心分離機に高い操作性が確保される。
【００１５】
請求項２記載の発明によれば、容器収納部を複数箇所に設け、請求項３記載の発明によれば、複数の容器収納部を大きさの異なるものとしたため、サイズ（重量）の異なる複数のダミーの遠心容器を準備しておくことができ、利便性が高められる。
【００１６】
請求項４記載の発明によれば、本体上面に同径の複数の孔部を形成したため、その孔部に挿通保持されるケースの外形寸法を共通化し、サイズの異なる遠心容器の収納はケースの収容穴の径を変更することで対応可能となり、容器収納部の標準化を図ることができる。
【００１７】
請求項５記載の発明によれば、容器収納部の近傍に設けられたメモ書き可能なスペースに、対応する容器収納部に収容されたダミーの遠心容器内の試薬の種類や容量、ユーザー名等の情報を記録しておくことができるため、操作ミスを防いで常に正常な運転を行うことができる。
【発明を実施するための最良の形態】
【００１８】
以下に本発明の実施の形態を添付図面に基づいて説明する。
【００１９】
図１は本発明に係る遠心分離機の斜視図、図２は同遠心分離機の平面図、図３は図２のＡ−Ａ線拡大断面図、図４は図２のＢ−Ｂ線拡大断面図である。
【００２０】
図１及び図２に示す遠心分離機１の本体２内には、ドラム状容器を構成するロータ室３が内蔵されており、本体２の手前側上部には、斜めに傾斜した操作パネル４が設けられている。そして、ロータ室３内にはロータ５が回転可能に収容されており、ロータ室３の円孔状の上面開口部はドア６によって開閉される。ここで、ドア６は不図示のヒンジによって本体２の上部に回動可能に支持されるとともに、不図示のドアスプリングによって常時開き側に付勢され、これが閉じられたときには不図示のドアロック機構によって閉じ状態がロックされる。
【００２１】
ところで、前記ロータ５は、本体２内に内蔵された不図示のモータを含む駆動部によって所定の速度で回転駆動されるが、その周囲には２４個のチューブ穴７が等角度ピッチで形成されており、これらのチューブ穴７には、分離すべき試料が収容された試験管状の遠心容器８が挿入される。具体的には、ロータ５の重量バランスを考慮して、ロータ５のチューブ穴７には複数の遠心容器８が２本を対としてロータ５の回転中心に対して対称に挿入される。
【００２２】
ところが、遠心容器８は、分離する試料の量や種類によっては必ずしも２本の対にならない場合がある。図示例では、奇数である１１本の遠心容器８がロータ５のチューブ穴７に１つ置きに挿入されているが、図示のチューブ穴７−１には遠心容器８−１と対となるべき遠心容器が挿入されていない。このような場合には、ロータ５の重量バランスが崩れるため、チューブ穴７−１にはダミーの遠心容器９を挿入してロータ５の重量バランスを取る必要がある。尚、ダミーの遠心容器９には、本来の遠心容器８と同じ重量になるよう水等の液体が収容されている。
【００２３】
而して、本実施の形態では、図１及び図２に示すようにドア６を開けたときに見える本体２の上面の前記ロータ室３の開口部近傍のドア６側コーナー部の２箇所に、ダミーの遠心容器９，１０を収納するための容器収納部１１，１２を設けるとともに、各容器収納部１１，１２の近傍にメモ書きが可能なスペース１３，１４を設けた。
【００２４】
上記各容器収納部１１，１２は、図３及び図４に示すように、本体２の上面に形成された同径の孔部２ａと、該孔部２ａに着脱可能に挿通保持される複数のケース１５，１６とで構成されており、一方のケース１５には、２ｍｌの液体を収容した大きなダミーの遠心容器９を収納することができるよう大きな内径の収容穴１５ａが形成され、他方のケース１６には、０．５ｍｌの液体を収容した小さなダミーの遠心容器１０を収納することができるよう小さな内径の収容穴１６ａが形成されている。このように本体２の上面に同径の２つの孔部２ａを形成すれば、その孔部２ａに挿通保持されるケース１５，１６の外形寸法を共通化することができ、サイズの異なるダミーの遠心容器９，１０の収納はケース１５，１６の収容穴１５ａ，１６ａの径を変更することで対応することができるため、容器収納部１１，１２の標準化を図ることができる。
【００２５】
従って、各容器収納部１１，１２には異なる大きさのダミー用の遠心容器９，１０を予めそれぞれ収納しておくことができ、ドア６を閉じると、これらの容器収納部１１，１２及びこれらの内部に収容されたダミーの遠心容器９，１０がドア６によって覆われて外部に露出することがない。尚、ドア６に一部に窓を設けておき、ドア６を閉めても窓から容器収納部１１，１２とダミーの遠心容器９，１０が外から見えるようにしても良い。
【００２６】
而して、本実施の形態によれば、ドア６を開けたときに見えるロータ室３の開口部近傍にダミーの遠心容器９，１０を収納可能な容器収納部１１，１２を設けたため、ダミーの遠心容器９，１０が常に遠心分離機１自体に内蔵されていることとなり、アンバランス調整時にドア６を開けてダミーの遠心容器９又は１０を容器収容部１１又は１２から取り出して短時間で簡便に準備することができる。
【００２７】
又、容器収納部１１，１２及びこれらに収容されたダミーの遠心容器９，１０が遠心分離機本体２の外部に突出することがないため、これらによって操作性が害されることがなく、遠心分離機１に高い操作性が確保される。
【００２８】
更に、本実施の形態では、容器収納部１１，１２を２箇所に設け、各容器収納部１１，１２に大きさの異なるダミーの遠心容器９，１０を収納するようにしたため、サイズ（重量）の異なる２つのダミー用の遠心容器９，１０を準備しておくことができ、利便性が高められる。通常、ダミーの遠心容器が必要となるのは１本であるが、使用するロータによっては複数種の遠心容器（容量の違い等）に対応することができるものもあり、遠心操作によって使用する遠心容器が異なる場合もあるが、本実施の形態のようにサイズ（重量）の異なる２つのダミー用の遠心容器９，１０を予め準備しておけば、そのような場合にも適切に対応することができる。
【００２９】
又、本実施の形態では、各容器収納部１１，１２の近傍にメモ書き可能なスペース１３，１４を設けたため、そのスペース１３，１４に、各容器収納部１１，１２に収容されたダミーの遠心容器９，１０内の試薬の種類や容量、ユーザー名等の情報を記入又はラベルの貼り付けによって記録しておくことができ、この情報に基づいて操作することによって操作ミスが未然に防がれ、遠心分離機１を常に正常に運転することができる。
【図面の簡単な説明】
【００３０】
【図１】本発明に係る遠心分離機の斜視図である。
【図２】本発明に係る遠心分離機の平面図である。
【図３】図２のＡ−Ａ線拡大断面図である。
【図４】図２のＢ−Ｂ線拡大断面図である。
【符号の説明】
【００３１】
１              遠心分離機
２              遠心分離機本体
２ａ            本体の孔部
３              ロータ室
４              操作パネル
５              ロータ
６              ドア
７              チューブ穴
８              遠心容器
９，１０        ダミーの遠心容器
１１，１２      容器収納部
１３，１４      メモ書き可能なスペース
１５，１６      ケース
１５ａ，１６ａ  ケースの収容穴
【図１】
2008212903.tif 000003
【図２】
2008212903.tif 000004
【図３】
2008212903.tif 000005
【図４】
2008212903.tif 000006